(57)【特許請求の範囲】
【請求項１】
紙製の表示部材と支持部材の二部材からなる卓上兼壁掛けカレンダーであって、該支持部材は前面板と、該前面板の両端に折線を介して折り畳み自在に連設された支持板とから構成され、
（イ）前記前面板は両側端部に切り込み線による側部係止片を設け、また下方の中央部には切り込み線による上方に向かって逆Ｕ字状の抑さえ板を設け、この上方には切り込み線によるＵ字形状の係止板を折り曲げ自在に設け、
（ロ）前記支持板は壁等に吊り下げる場合支持板を内側に折り曲げると同時に支持板同士を重ね合わせ、重ね合わせた部分を前記前面板の抑さえ板の内側に挟み込み固定する構造で、
（ハ）前記表示部材はカレンダーを印刷した方形状の紙葉から成り、前記側部係止片の内側に差し込むように挿入することで掲示することができる、
ことを特徴とする卓上兼壁掛けカレンダー。
【請求項２】
前記支持板の横方向の長さは前面板の横幅よりも短く、かつ前面板の横幅の２分の１よりも長く、しかも支持板の下辺は上方に向かって傾斜させて形成したことを特徴とする請求項１記載の卓上兼壁掛けカレンダー。
【請求項３】
前記前面板に対向して連設した支持板の端部先端に、嵌合片を設けたことを特徴とする請求項１または２に記載の卓上兼壁掛けカレンダー。
【発明の詳細な説明】
【０００１】
【発明の属する技術分野】
本発明は、全部品が紙製でカレンダー終了時の廃棄等による公害問題を少なくしたカレンダーであつて、特に卓上または壁等に吊り下げることも可能とした組み立て容易な卓上兼壁掛けカレンダーに関するものである。
【０００２】
【従来の技術】
従来より卓上カレンダーとして、透明プラスチック製のケースとカード状にした紙製の日付、曜日を印刷した複数枚の表示板（カレンダー）が知られている。例えば、カレンダーとして使用する際は、プラスチックケース内にセットされている複数枚のカード状のカレンダーをケース内に１月から１２月に順次重ねて挿入し、ケース裏面側に設けた支持板を起立させ、僅かに傾斜するように机等に据え置き卓上カレンダーとして使用していた。しかしこれらのカレンダーは、卓上に据え置き飾るカレンダーであった。
【０００３】
【発明が解決しようとする課題】
しかしながら、前記のカレンダーは卓上に据え置き飾るカレンダーであり、壁等に吊り下げ飾る場合は、特別な加工を施す必要があった。また、前記カレンダーは、使用済みのカレンダー（表示板）は一枚づつ捨てれば良いが、カレンダーが少なくなってくるとケース内が隙間だらけになり、カード化されたカレンダーを固定するものが無くなる。また、使用済みのプラスチックケースの処分が難しく、例えば焼却等の処理を行うと公害問題が発生する。
そこで本発明は上記の問題を解決するためなされたもので、組み立てが容易で、机上に据え置くこともでき、かつ壁等に吊り下げて掲示することも可能とした全部品が紙製の卓上兼壁掛けカレンダーを提供するものである。
【０００４】
【課題を解決するための手段】
上記目的を達成するために本発明は、紙製の表示部材２０と支持部材１０の二部材からなり、該支持部材１０は前面板１２と、この前面板の両端に、折線ｂ，ｂを介して折り畳み自在に連設された支持板１１，１１とから構成され、
（イ）前記前面板１２は両側端部に切り込み線ｋ，ｋによる側部係止片１６，１６を設け、また下方の中央部には切り込み線による上方に向かって逆Ｕ字状の抑さえ板１４を設
け、この上方には切り込み線によるＵ字形状の係止板１３を折り曲げ自在に設け、
（ロ）前記支持板１１，１１は壁等に吊り下げる場合支持板１１，１１を内側に折り曲げると同時に支持板１１，１１同士を重ね合わせ、重ね合わせた部分を前記前面板１２の抑さえ板１４の内側に挟み込み固定する構造で、
（ハ）前記表示部材２０はカレンダーを印刷した方形状の紙葉から成り、前記側部係止片１６，１６の内側に差し込むように挿入することで掲示することができる、
ことを特徴とする卓上兼壁掛けカレンダーである。
【０００６】
また、前記支持板１１，１１の横方向の長さは、前面板１２の横幅よりも短く、かつ前面板１２の横幅の２分の１よりも長く、しかも支持板１１，１１の下辺は上方に向かって傾斜させて形成したことを特徴とするものである。
【０００７】
さらに、前記前面板１２に対向して連設した支持板１１，１１の端部先端に、嵌合片ｔ，ｔを設けたことを特徴とするものである。
【０００８】
【発明の実施の形態】
本発明の卓上兼壁掛けカレンダーは、紙製の表示部材２０と支持部材１０の二部材からなり、この支持部材１０は両側端部に切り込み線ｋ，ｋによる押さえ板１６，１６を設けた表示部材２０を保持する前面板１２と、該前面板１２の両端には折線b ，b を介して折り畳み自在に連設された支持板１１，１１とにより構成され、前記前面板１２の押さえ板１６，１６内に表示部材２０を挿入する構造を特徴とするものである。
【０００９】
【実施例】
以下、図に基づき実施の形態を詳細に説明する。
図１は、本発明の卓上兼壁掛けカレンダーにおける使用部材を示す展開図である。
図１に示すように、本発明の卓上兼壁掛けカレンダーは、紙製の支持部材１０と複数枚の表示部材２０の二部材により構成されるもので、先ず、支持部材１０は、前面板１２の左右側辺に折線b ，b を介して対向する支持板１１，１１を設けたものである。なお前記支持部材における前面板１２には、下方で、しかも左右両端に切り込み線ｋ，ｋによる表示部材の側部係止片１６，１６を形成し、また前面板１２の下方の中央部には、切り込み線による上方に向かって逆Ｕ字状の押さえ板１４を形成し、この上方にも切り込み線によるＵ字形状の係止板１３を上方に向かって折り曲げ自在に設けたものである。また、この係止板１３の中央部に吊り下げ用の係止孔１５を形成した。さらに、前面板１２の左右側辺に設けた支持板１１，１１は、上辺及び下辺を左右の先端に向かってティパー状に傾斜させて作製し、この両端部の先端には、係合用の嵌合片ｔ，ｔを設けたものである。
【００１０】
なお、前記支持板１１，１１の横方向の長さは、前面板１２の横幅よりも短く形成し、しかも前面板１２の横幅の２分の１よりも長くすることが好ましく、特に卓上用とした場合、安定して据え置くことができる。
【００１１】
一方、表示部材２０は、紙製の日付、曜日を印刷した複数枚のカレンダーを示すもので、方形状の紙葉に前記カレンダーを印刷したものである。
【００１２】
図２は、本発明の卓上兼壁掛けカレンダーの吊り下げる場合の完成品を示すもので、（Ａ）は裏面側から見たカレンダーの斜視図であり、（Ｂ）は表面側から見たカレンダーの斜視図である。また、図３は卓上に据え置く場合の状態を示す斜視図である。
本発明の卓上兼壁掛けカレンダーの組み立ては、先ず、壁等に吊り下げる場合には、支持部材１０の折線b ，b から対向して設けた支持板１１，１１を内側（裏面側）に折り曲げると同時に、支持板同志を重ね合わせるようにして、その重ね合わせた部分を押さえ板１４の内側に挟むように差し込み支持板１１，１１を固定する。さらに係止板１３を上方に折り曲げる（図２（Ａ）を参照）。また、図２（Ｂ）に示すように、この支持部材の前面板１２の表側に設けた側部係止片１６，１６の内側に差し込むように挿入することで、表示板２０（カレンダー）を掲示することができる。なお、表示板は月毎に重ねて複数枚挿入することも可能である。
【００１３】
次に、卓上等に据え置き使用する場合には、図３に示すように、支持板１１，１１を内側（前面板の後方）に折り曲げ、この支持板１１，１１の端部先端に設けた嵌合片ｔ，ｔ同志を係合することで略三角形状の支持部材が形成される。また、表示部材２０は前記同様に前面板１２の側部係止片１６，１６の内側に差し込むことで掲示することができる。なお、支持板１１，１１の下辺を傾斜させて形成したことにより、この卓上兼吊り下げカレンダーは、僅かに後方に傾けて（傾斜して）据え置くことができる。
【００１４】
なお、本発明においては表示部材をカレンダーとして説明したが、限定されるものではなく、例えば、表示部材として写真等を挿入することも可能であり、簡易な卓上兼壁掛け写真立てになる。
【００１５】
【発明の効果】
本発明は以上の構成であるから、下記に示す如き効果がある。
すなわち、支持板を前面板と一体に折り畳み、係止板を上方に折り曲げることで壁掛けカレンダーとして使用することができる。また、支持板を前面板の後方に折り、前面板の先端に設けた嵌合片同志を係合することで卓上カレンダーとして僅かに傾斜して据え置き使用することができる。
また、本発明の卓上兼壁掛けカレンダーは、組み立てが容易で、机上に置くこともでき、かつ壁等に吊り下げて掲示することも可能としたものである。また、全部品が紙製で構成されているので処分等における公害の発生は極めて少なくなる等の優れた効果を奏する。
【図面の簡単な説明】
【図１】本発明の卓上兼壁掛けカレンダーにおける使用部材を示す展開図である。
【図２】本発明の卓上兼壁掛けカレンダーの吊り下げる場合の完成品を示すもので、（Ａ）は裏面側から見たカレンダーの斜視図であり、（Ｂ）は表面側から見たカレンダーの斜視図である。
【図３】本発明の卓上兼壁掛けカレンダーを卓上に据え置く場合の状態を示す斜視図である。
【符号の説明】
１０……支持部材
１１……支持板
１２……前面板
１３……係止板
１４……押さえ板
１５……係止孔
１６……側部係止片
２０……表示部材
b ……折線
ｋ……切り込み線
ｔ……嵌合片
【図１】
0003858591.tif 000002
【図２】
0003858591.tif 000003
【図３】
0003858591.tif 000004